(57)【要約】【課題】橋梁の床版取替時においてずれ止めの溶接に伴う熱収縮による残留応力が発生せず、鋼桁に想定していない撓みが生じないとともに、同時に鋼桁の補強が可能な鋼桁の補強方法を提供する。【解決手段】橋梁１の既設床版を新設床版に取り替える際の鋼桁２の補強方法であって、鋼桁２の上面を補強する補強鋼板６を平面上に載置して応力が作用しない状態でスタッドジベルＪＢや馬蹄形ジベルなどのずれ止めを溶接し、その後、応力が作用しない状態でずれ止めが溶接された補強鋼板６を、既設床版が撤去された鋼桁２の上面に接合する。【選択図】図４
2018204356.tif 000002
【特許請求の範囲】
【請求項１】
橋梁の既設床版を新設床版に取り替える際の鋼桁の補強方法であって、
前記鋼桁の上面を補強する補強鋼板を平面上に載置して応力が作用しない状態でスタッドジベルや馬蹄形ジベルなどのずれ止めを溶接し、
その後、応力が作用しない状態でずれ止めが溶接された前記補強鋼板を、前記既設床版が撤去された前記鋼桁の前記上面に接合すること
を特徴とする鋼桁の補強方法。
【請求項２】
前記橋梁は、合成桁であり、
前記既設床版を撤去する際に既設のずれ止めを切断した上、応力が作用しない状態でずれ止めが溶接された前記補強鋼板を、前記既設床版が撤去された前記鋼桁の前記上面にボルト接合すること
を特徴とする請求項１に記載の鋼桁の補強方法。
【発明の詳細な説明】
【技術分野】
【０００１】
本発明は、既設鋼桁の補強方法に関し、詳しくは、経年劣化した既設床版を新設床版に取り替える床版取替時において、補強が必要になった既設鋼桁を補強する鋼桁の補強方法に関するものである。
【背景技術】
【０００２】
道路橋などの橋梁では、経年劣化（老朽化）した既設床版を新設床版に取り替えることが行われている。しかし、橋梁建造時と現在とでは、設計荷重（設計上の輪荷重などの活荷重）の基準が変わっており、床版取替時に橋梁を支える鋼桁を補強しなければならない場合がある。このため、従来、床版取替時に床版に取り替えに加えて、既設の鋼桁に大型のブラケットやビームを取り付けて補強することが行われていた。
【０００３】
また、床版と桁との合成やずれ止めとして、主桁となる鋼桁の上フランジには、スタッドジベル（頭付きスタッド）や馬蹄形ジベルなどのずれ止めをスタッド溶接などで溶接する必要があった。しかし、鋼桁に自重などの荷重が作用して曲げ応力などの応力が作用している状態で溶接を行うと、熱収縮で上フランジに圧縮の残留応力が作用してしまい、主桁である鋼桁に想定していない撓みが生じる結果となっていた。
【０００４】
特に、合成桁は、床版と一体となって外力に対抗するため、鋼桁の断面積（特に上フランジの厚さ）が小さくなっている。その上、合成桁では、床版と鋼桁との合成効果を期待するため、スタッドジベル等の多数のずれ止めを現場溶接しなければならず、溶接に伴って鋼桁に想定していない撓みが生じてしまうという問題が顕著であった。このため、現場溶接による熱収縮の影響で鋼桁が撓むのを抑制する鋼桁の補強方法が切望されていた。
【０００５】
例えば、特許文献１には、Ｉ断面鋼桁の上フランジ近傍の腹板側面に、鋼桁長手方向に圧縮杆材を添設し、鋼桁腹板に固着したブラケットに反力を支持させて該圧縮杆材に圧縮力を加え、鋼桁の図心位置より上側に引張応力を導入する既設鋼桁の補強方法が開示されている（特許文献１の特許請求の範囲の請求項１、明細書の段落［０００９］〜［００１３］、図面の図１、図２等参照）。
【０００６】
特許文献１に記載の既設鋼桁の補強方法は、鋼コンクリート合成桁の床版取替時に仮支柱を設けたりすることなく鋼桁の上フランジに生ずる圧縮応力を緩和し、鋼桁の座屈を防止するとされている。
【０００７】
また、特許文献２には、既設主桁の下方に反力架台を設置し、前記反力架台の下方に支持桁を配置し、前記支持桁を接合手段によって既設主桁に接合し、接合された前記支持桁と既設主桁の間にジャッキを配置し、前記ジャッキをジャッキアップすることによって既設主桁を仮受けする合成桁の床版取替工法における主桁仮受け方法が開示されている（特許文献１の特許請求の範囲の請求項１、明細書の段落［００２０］〜［００３０］、図面の図１〜図８等参照）。
【０００８】
特許文献２に記載の床版取替工法における主桁仮受け方法は、ベントを使用することなく、安全かつ確実に施工でき、工期を短縮でき、曲線桁にも対応可能で、キャンバー調整が容易で、経済性に優れるとされている。
【０００９】
しかし、特許文献１に記載の既設鋼桁の補強方法、及び特許文献２に記載の床版取替工法における主桁仮受け方法は、既設の鋼桁に大型のブラケットやビームを取り付ける必要があり、施設が大掛かりで費用が嵩むという問題があった。また、特許文献１に記載の既設鋼桁の補強方法や特許文献２に記載の主桁仮受け方法でも、鋼桁の上フランジには、床版との合成のため、スタッドを現場溶接する必要があり、熱収縮で上フランジに圧縮の残留応力が作用してしまい、鋼桁に想定していない撓みが生じるという問題を解決することはできていない。
【先行技術文献】
【特許文献】
【００１０】
【特許文献１】特開平９−２５６３２２号公報
【特許文献２】特開２０１６−８４０６号公報
【発明の概要】
【発明が解決しようとする課題】
【００１１】
そこで本発明は、前記問題点に鑑みて案出されたものであり、その目的とするところは、橋梁の床版取替時において熱収縮による残留応力が発生せず、鋼桁に想定していない撓みが生じないとともに、同時に鋼桁の補強が可能な鋼桁の補強方法を提供することにある。
【課題を解決するための手段】
【００１２】
請求項１に記載の鋼桁の補強方法は、橋梁の既設床版を新設床版に取り替える際の鋼桁の補強方法であって、前記鋼桁の上面を補強する補強鋼板を平面上に載置して応力が作用しない状態でスタッドジベルや馬蹄形ジベルなどのずれ止めを溶接し、その後、応力が作用しない状態でずれ止めが溶接された前記補強鋼板を、前記既設床版が撤去された前記鋼桁の前記上面に接合することを特徴とする。
【００１３】
請求項２に記載の鋼桁の補強方法は、請求項１に記載の鋼桁の補強方法において、前記橋梁は、合成桁であり、前記既設床版を撤去する際に既設のずれ止めを切断した上、応力が作用しない状態でずれ止めが溶接された前記補強鋼板を、前記既設床版が撤去された前記鋼桁の前記上面にボルト接合することを特徴とする。
【発明の効果】
【００１４】
請求項１及び２に記載の鋼桁の補強方法によれば、現場溶接ではなく補強鋼板を平面上に載置して応力が作用しない状態でずれ止めを溶接して、その補強鋼板を鋼桁の上面に接合するので、床版取替時のずれ止め溶接時において熱収縮による残留応力が発生せず、鋼桁に想定していない撓みが生じない。
【００１５】
また、請求項１及び２に記載の鋼桁の補強方法によれば、ずれ止めの溶接を現場溶接ではなく、別途工場等の現場外で予め行い、床版取替の現場では乾式接合だけ済むため、現場作業を短縮して通行止めの期間を短縮することができる。このため、床版取替の労務コストも低減することができる。
【００１６】
さらに、請求項１及び２に記載の鋼桁の補強方法によれば、床版取替時において新設床版と既存鋼桁とを一体化するためのずれ止めの設置と、必要な鋼桁の補強を同時に行うことができる。このため、さらに床版取替の工期を短縮してコストも低減することができる。
【図面の簡単な説明】
【００１７】
【図１】本発明の実施形態に係る鋼桁の補強方法を適用する橋梁１の上部構造を橋軸方向と直交する鉛直面で切断した状態を示す鉛直断面図である。
【図２】本発明の実施形態に係る鋼桁の補強方法の既設床版撤去工程を示す工程説明図である。
【図３】同上の鋼桁の補強方法のボルト孔削孔工程を鋼桁の上フランジ付近を拡大して示す工程説明図である。
【図４】同上の鋼桁の補強方法の補強鋼板接合工程を示す工程説明図であり、（ａ）が接合前、（ｂ）が接合後を示し、（ｃ）は補強鋼板の平面図である。
【発明を実施するための形態】
【００１８】
以下、本発明の実施形態に係る鋼桁の補強方法について、図面を参照しながら説明する。
【００１９】
先ず、図１を用いて、本発明の実施形態に係る鋼桁の補強方法を適用する既設の橋梁について簡単に説明する。橋梁としてＩ形鋼からなる鋼桁と鉄筋コンクリート床版を一体化した鋼コンクリート合成桁を例示して説明する。
【００２０】
図１は、本発明の実施形態に係る鋼桁の補強方法を適用する橋梁１の上部構造を、橋軸方向と直交する鉛直面で切断した状態を示す鉛直断面図である。図１に示すように、図示形態に係る橋梁１の上部構造は、Ｉ形鋼からなる複数の鋼桁２と、これらの既設の鋼桁２の上に載置された鉄筋コンクリート製の既設床版３など、から構成されている。この橋梁１の上部構造は、鋼桁２の上フランジ２０に突設されたずれ止め（図示せず）で既設床版３と鋼桁２とが一体化されている合成桁である。
【００２１】
また、この橋梁１の上部構造は、既設床版３の幅方向の端部には、鉄筋コンクリート製の高欄４が形成され、既設床版３の上には、アスファルト舗装５が敷設されている。本発明の実施形態に係る鋼桁の補強方法は、このような橋梁１の既設床版３を新設床版に取り替える際に、構造設計上の活荷重増加に伴って補強する場合に好適に適用される。
【００２２】
（既設床版撤去工程）
先ず、本発明の実施形態に係る鋼桁の補強方法では、図示しない合成桁のずれ止めを切断して既設床版３と鋼桁２とを分離し、図２に示すように、既設床版３を揚重可能な所定の大きさに切断して撤去する既設床版撤去工程を行う。図２は、本発明の実施形態に係る鋼桁の補強方法の既設床版撤去工程を示す工程説明図である。
【００２３】
具体的には、本工程では、ダイヤモンドカッターやワイヤソーを用いて、既設床版３を揚重機で揚重可能な所定の大きさに切断する。次に、ジャッキ等で床版と鋼桁の縁切りを行う。そして、橋梁１上や橋梁１下の道路上に設置した揚重機であるラフタークレーンのなどの移動式クレーンを用いて、所定の大きさに切断した既設床版３を吊り上げてトラック等の輸送車両で搬出して撤去する。最後に主桁上面のずれ止めをガス等で１０ｍｍ程度残して切断し、砥石などを装着したグラインダー等で鋼桁上面を平滑に仕上げる。
【００２４】
（ボルト孔削孔工程）
次に、本実施形態に係る鋼桁の補強方法では、図３に示すように、前工程で既設床版３を撤去して露出した鋼桁２の上フランジ２０に、補強鋼板６をボルト接合するためのボルト孔２１を削孔機で削孔するボルト孔削孔工程を行う。図３は、本実施形態に係る鋼桁の補強方法のボルト孔削孔工程を鋼桁２の上フランジ２０付近を拡大して示す工程説明図である。
【００２５】
具体的には、本工程では、後述のスタッドジベルＳＪと干渉しない上フランジ２０の所定の位置に図示しない電動ドリルなどの削孔機を用いてハイテンションボルト（高力ボルト）用のボルト孔２１を削孔する。
【００２６】
（補強鋼板接合工程）
次に、本実施形態に係る鋼桁の補強方法では、図４に示すように、前工程で削孔した上フランジ２０のボルト孔２１にハイテンションボルトＨＢを挿通して、工場等で予めずれ止めが溶接された補強鋼板６を上フランジ２０にボルト接合する補強鋼板接合工程を行う。図４は、本実施形態に係る鋼桁の補強方法の補強鋼板接合工程を示す工程説明図である。
【００２７】
本工程で用いる補強鋼板６は、既設の鋼桁２の上フランジ２０に応じた幅で、設計荷重増加分の補強に適した所定の厚さの構造用鋼板であり、一般的には、厚さ８ｍｍ以上の鋼板が用いられる。勿論、本発明に係る補強鋼板の幅や厚さは、構造設計に応じて適宜変更可能なことは云うまでもない。
【００２８】
また、図４（ａ）（ｃ）に示すように、補強鋼板６には、予め補強鋼板６に曲げ応力などの横応力が作用しない状態でずれ止めであるスタッドジベルＳＪが溶植されている。具体的には、工場等の風雨を避けられる屋内施設等において、補強鋼板６を凹凸のない平面上に載置して自重等により曲げ応力等が作用しない状態でスタッドガンを用いてスタッドジベルＳＪ（例えば、φ１９〜２２程度）を補強鋼板６の上面に押し当ててスタッド溶接する。
【００２９】
勿論、補強鋼板６を溶接する場所は、工場等の屋内施設に限られず、補強鋼板６を載置した際に補強鋼板６に応力が作用しない状態で溶接可能な場所であれば屋外であっても構わない。但し、屋内施設で溶接を行った方が、風雨が避けられて溶接の品質が安定するため好ましい。
【００３０】
また、補強鋼板６に予め溶接する本発明に係るずれ止めは、スタッドジベルＳＪに限られず、馬蹄形ジベルなどの他の形態のずれ止めであってもよいことは云うまでもない。
【００３１】
このように、本実施形態に係る鋼桁の補強方法では、補強鋼板６に曲げ応力などの応力が作用しない状態でスタッド溶接するため、熱収縮で主桁である鋼桁２が撓むのを抑制することができる。これに対して、従来の床版取替工事では、床版が撤去された既存鋼桁上にスタッドジベルなどのずれ止めが直接現場溶接されていた。つまり、橋梁の床版取替工事が行われる現場において、鋼桁の自重や撤去した部分以外の床版の重みが鋼桁に作用した状態で新たなずれ止めの溶接がなされていた。このため、熱収縮で上フランジに圧縮の残留応力が作用してしまい、鋼桁に想定していない撓みが生じる結果となっていた。
【００３２】
その上、従来の床版取替工事では、既存鋼桁の上面に直接スタッド溶接を現場溶接で行うため、コンクリート片などが付着した既存鋼桁の上面をスタッド溶接ができる程度に綺麗に清掃して磨き上げなければならず、非常に手間と作業時間を要していた。
【００３３】
これに対して、本実施形態に係る鋼桁の補強方法では、鋼桁２の上面の清掃が、既設の鋼桁２に補強鋼板６をハイテンションボルトＨＢで摩擦接合できる程度の清掃で済み、磨き上げる必要がない。このため、清掃に掛かる作業時間を短縮することができ、スタッド溶接等に掛かる労務コストも低減することができる。
【００３４】
また、従来の床版取替工事では、既設の鋼桁の上面に直接スタッド溶接するため、既設の鋼桁のフランジに外ケーブルを定着させて桁が中央付近で山なりに反る力を与えたり、鋼桁に当て板補強したりすることで補強するしかなかった。このため、床版取替と同時に鋼桁の補強を行うことが困難であり、作業時間が掛かり、労務コストが増大する要因となっていた。
【００３５】
これに対して、本実施形態に係る鋼桁の補強方法では、新たな床版と鋼桁２とを一体化させるためのスタッドジベルＳＪ（ずれ止め）の設置と、鋼桁２の補強を同時に行うことができる。このため、さらに床版取替の作業時間を短縮することができ、労務コストも低減することができる。
【００３６】
そして、図４（ｂ）（ｃ）に示すように、本工程では、インパクトレンチなどの締付け工具を用いて、ボルト孔２１に挿通されたハイテンションボルトＨＢで、前述のスタッドジベルＳＪが溶接された補強鋼板６を上フランジ２０にボルト接合する。本工程の終了により本実施形態に係る鋼桁の補強方法自体は終了する。
【００３７】
そして、その後、プレキャスト製のＰＣ床版などの新設床版を載置して、合成部分となるスタッドジベルＳＪの周りのコッターに無収縮モルタル等の充填材を充填して一体化して橋梁１の床版取替工事が終了する。勿論、新設床版は、プレキャスト製のＰＣ床版に限られず、プレキャスト製の鋼コンクリート合成床版や、従来通り、型枠、配筋等を行ってコンクリートを打設した新設のＲＣ床版であっても構わないことは云うまでもない。
【００３８】
本実施形態に係る鋼桁の補強方法によれば、応力が作用しない状態でスタッドジベルＳＪを補強鋼板６に溶接した上、現場で鋼桁２の上フランジ２０の上面にボルト接合するので、床版取替時において熱収縮による残留応力が発生せず、鋼桁に想定していない撓みが生じない。
【００３９】
また、本実施形態に係る鋼桁の補強方法によれば、現場溶接ではなくスタッドジベルＳＪを予め工場等の現場外で溶接して、その補強鋼板６を上フランジ２０に乾式接合するので、現場作業を短縮して橋梁１の通行止めの期間を短縮することができる。このため、床版取替の労務コストも低減することができる。
【００４０】
さらに、本実施形態に係る鋼桁の補強方法によれば、床版取替時において新設床版と鋼桁２とを一体化するスタッドジベルＳＪの設置と、必要な鋼桁２の補強を同時に行うことができる。このため、さらに床版取替の工期を短縮してコストも低減することができる。また、構造設計に応じて鋼桁２の上フランジ２０が増厚されるため、発生応力を低減することができる。
【００４１】
以上、本発明の実施形態に係る鋼桁の補強方法について詳細に説明したが、前述した又は図示した実施形態は、いずれも本発明を実施するにあたって具体化した一実施形態を示したものに過ぎない。よって、これらによって本発明に係る技術的範囲が限定的に解釈されてはならないものである。
【符号の説明】
【００４２】
１                          ：橋梁
２                          ：鋼桁
２０                        ：上フランジ
２１                        ：ボルト孔
３                          ：既設床版
４                          ：高欄
５                          ：アスファルト舗装（舗装）
６                          ：補強鋼板
ＳＪ                        ： スタッドジベル（頭付きスタッド）
ＨＢ                        ：ハイテンションボルト（高力ボルト）
【図１】
2018204356.tif 000003
【図２】
2018204356.tif 000004
【図３】
2018204356.tif 000005
【図４】
2018204356.tif 000006